(57)【要約】【解決すべき課題】  コンテンツの視聴管理、例えば、視聴料金、視聴有効回数等の管理も行うことができる技術を提供すること。【課題を解決するための手段】  携帯情報端末４１は、通信機能を用いてサービスステーション４２にアクセスし、ＥＰＧ情報等の番組情報を閲覧する。希望の番組を選択し、録画予約を選択する。サービスステーション４２に料金の決済を求める情報を送信する。クレジットカードの番号等の情報を送信されたサービスステーション４２は、これらの情報に基づいて料金の決済を行い、決済が済むと番組にかけられたスクランブルを解除するスクランブル情報（鍵情報）を携帯情報端末４１に送信する。携帯情報端末４１から録画予約情報及び鍵情報が送信されたＶＴＲ４３では、鍵情報及び録画予約情報により、録画予約を完了する。【選択図】  図１
2004282777.tif 000002
【特許請求の範囲】
【請求項１】
携帯情報端末による視聴管理システムであって、
記憶・再生装置と、携帯情報端末と、前記携帯情報端末にコンテンツの視聴を管理する視聴管理情報を提供するサービスステーションとを有し、
前記携帯情報端末は、視聴を希望するコンテンツを特定する視聴物特定情報を送信する手段と、視聴管理情報を受信する手段と、前記視聴管理情報の有効性を判断し、有効ならば視聴管理情報を、前記記録・再生装置に送信する手段とを有し、
前記サービスステーションは、受信した視聴物特定情報から対応する視聴管理情報を前記携帯情報端末に送信する手段を有し、
前記記録・再生装置は、受信した視聴管理情報に基づいて、再生するコンテンツのスクランブルを解除し、コンテンツを再生する手段を有することを特徴とする携帯情報端末による視聴管理システム。
【請求項２】
前記携帯情報端末に赤外線送信機能を搭載し、前記記憶・再生装置に赤外線受信機能を搭載し、赤外線送受信機能により、前記携帯情報端末と前記記憶・再生装置との間で視聴管理情報を送受信するように構成したことを特徴とする請求項１に記載の携帯情報端末による視聴管理システム。
【請求項３】
前記携帯情報端末にＢｌｕｅｔｏｏｔｈ送信機能を搭載し、前記記憶・再生装置にＢｌｕｅｔｏｏｔｈ受信機能を搭載し、Ｂｌｕｅｔｏｏｔｈの送受信機能により、前記携帯情報端末と前記記憶・再生装置との間で視聴管理情報を送受信するように構成したことを特徴とする請求項１又は請求項２に記載の携帯情報端末による視聴管理システム。
【請求項４】
前記サービスステーションに決算機能を持たせ、取得する視聴管理情報に対応するコンテンツが有料である場合に、前記携帯情報端末からユーザを特定する識別情報を受信し、この識別情報に基づいて決済を行い、決済が完了すると視聴管理情報を前記携帯情報端末に送信するように構成したことを特徴とする請求項１から請求項３のいずれかに記載の携帯情報端末による視聴管理システム。
【発明の詳細な説明】
【技術分野】
【０００１】
本発明は録画・記録装置のコントロールシステム、及び記録・再生装置の視聴管理システムに関し、特に携帯電話で代表される携帯情報端末により録画・記録装置の録画予約を行ったり、記録・再生装置で再生されるコンテンツの視聴管理を行うシステムに関する。
【背景技術】
【０００２】
現在、家庭用の録画・記録装置（例えば、ＶＴＲ）の録画予約は、録画・記録装置に付属するリモコンや録画・記録装置本体のボタンなどを操作することによって行っている。
【発明の開示】
【発明が解決しようとする課題】
【０００３】
しかしながら、録画・記録装置の録画予約は、番組の放送日や時間がわからない場合には録画予約出来ず、また、操作方法を誤った場合には目的の番組を収録できない等の問題があった。更に、録画・記録装置の録画予約を行う場合には録画・記録装置の傍にいなければならないと言う制約があった。
【０００４】
また、近年、視聴回数などを制限するコンテンツがあり、それらの視聴管理をどのように行うかと言った問題もあった。
【０００５】
そこで、本発明の目的は、上記問題点を解決することにある。
【０００６】
また、本発明の目的は、コンテンツの視聴管理、例えば、視聴料金、視聴有効回数等の管理も行うことができる。
【課題を解決するための手段】
【０００７】
上記本発明の目的は、携帯情報端末による視聴管理システムであって、
記憶・再生装置と、携帯情報端末と、前記携帯情報端末にコンテンツの視聴を管理する視聴管理情報を提供するサービスステーションとを有し、
前記携帯情報端末は、視聴を希望するコンテンツを特定する視聴物特定情報を送信する手段と、視聴管理情報を受信する手段と、前記視聴管理情報の有効性を判断し、有効ならば視聴管理情報を、前記記録・再生装置に送信する手段とを有し、
前記サービスステーションは、受信した視聴物特定情報から対応する視聴管理情報を前記携帯情報端末に送信する手段を有し、
前記記録・再生装置は、受信した視聴管理情報に基づいて、再生するコンテンツのスクランブルを解除し、コンテンツを再生する手段を有することを特徴とする携帯情報端末による視聴管理システムによって達成される。
【０００８】
尚、視聴管理情報の送受信に関し、前記携帯情報端末に赤外線送信機能を搭載し、前記記憶・再生装置に赤外線受信機能を搭載し、赤外線送受信機能により、前記携帯情報端末と前記記憶・再生装置との間で視聴管理情報を送受信するように構成する。
【０００９】
また、前記携帯情報端末にＢｌｕｅｔｏｏｔｈ送信機能を搭載し、前記記憶・再生装置にＢｌｕｅｔｏｏｔｈ受信機能を搭載し、Ｂｌｕｅｔｏｏｔｈの送受信機能により、前記携帯情報端末と前記記憶・再生装置との間で視聴管理情報を送受信するように構成することも可能である。
また、前記サービスステーションに決算機能を持たせ、取得する視聴管理情報に対応するコンテンツが有料である場合に、前記携帯情報端末からユーザを特定する識別情報を受信し、この識別情報に基づいて決済を行い、決済が完了すると視聴管理情報を前記携帯情報端末に送信するように構成することも可能である。
【００１０】
本発明は、あらかじめ、携帯電話やＰＨＳなどの携帯情報端末に録画・記録装置のＩｒＤＡなどの赤外線送信機能などを搭載してリモコンの機能を持たせておく。さらに、各メーカーのリモコンのコードを予め記憶させ、またはＷＥＢやその他の方法で取得し、録画・記録装置やその他の記録装置のコントロールが行えるようにしておく。
【００１１】
一方、ＥＰＧ情報や番組案内を掲載した携帯情報端末向けのＷＥＢサービスやＥＰＧ情報をメールするサービスなどをサービスステーションにより行う。この際、録画予約に必要な情報（例えば、開始時間や終了時間、放送時間、Ｇコード、チャンネル情報であり、デジタルの場合は、サービスＩＤやＴＳ・ＩＤ、イベントＩＤ等である）も取得できるようにしておく。
【００１２】
携帯電話などの携帯情報端末を使用して、ＷＥＢサイトにアクセスしたり、メールサービスなどによりＥＰＧ情報・Ｇコードなどを閲覧・取得する。収得した情報を、リモコンと同様の方法（赤外線）や、有線によりを録画・記録装置本体まで送り、録画予約を行う。
【００１３】
また、同様にサービスステーションより、携帯情報端末は、コンテンツの視聴制限を解除する視聴管理情報を受信し、この視聴管理情報を記憶・再生装置に送信することにより、視聴制限のあるコンテンツを視聴可能とする。
【００１４】
尚、好ましい他の態様として、携帯情報端末による録画・記録装置のコントロールシステムであって、録画・記録装置と、前記録画・記録装置との通信機能を搭載した携帯情報端末とを有し、前記携帯情報端末は録画予約情報を前記録画・記録装置に送信し、前記録画・記録装置は受信した録画予約情報に基づいて、録画予約をセットするように構成したことを特徴とする携帯端末による録画・記録装置のコントロールシステムがある。
【００１５】
また、好ましい他の態様として、携帯情報端末による録画・記録装置のコントロールシステムであって、録画・記録装置と、前記録画・記録装置との通信機能を搭載した携帯情報端末と、前記携帯情報端末に録画予約情報を提供するサービスステーションとを有し、前記携帯情報端末は前記サービスステーションにアクセスし、録画予約情報を収得し、収得した録画予約情報を前記録画・記録装置に送信し、前記録画・記録装置は受信した録画予約情報に基づいて、録画予約をセットするように構成したことを特徴とする携帯端末による録画・記録装置のコントロールシステムがある。
【００１６】
尚、録画予約情報の送受信に関し、前記携帯情報端末に赤外線送信機能を搭載し、前記録画・記録装置に赤外線受信機能を搭載し、前記赤外線送受信機能により、前記携帯情報端末と前記録画・記録装置との間で録画予約情報を送受信するように構成する。
【００１７】
また、録画予約情報の送受信に関し、前記携帯情報端末にＢｌｕｅｔｏｏｔｈ送信機能を搭載し、前記録画・記録装置にＢｌｕｅｔｏｏｔｈ受信機能を搭載し、Ｂｌｕｅｔｏｏｔｈの送受信機能により、前記携帯情報端末と前記録画・記録装置との間で録画予約情報を送受信するように構成することも可能である。
【００１８】
また、前記サービスステーションに決算機能を持たせ、録画予約を行うとするコンテンツが有料である場合に、前記携帯情報端末からユーザを特定する識別情報を受信し、この識別情報に基づいて決済を行い、決済が完了するとスクランブル解除情報を前記携帯情報端末に送信するように構成することも可能である。
【００１９】
また、好ましい他の態様として、携帯情報端末による録画・記録装置のコントロールシステムであって、ダイヤルアップ機能を搭載した録画・記録装置と、前記録画・記録装置とダイヤルアップで通信可能な携帯情報端末と、前記携帯情報端末に、番組予約情報を提供するサービスステーションとを有し、前記携帯情報端末は前記サービスステーションにアクセスし、録画予約情報を収得し、前記携帯情報端末はダイヤルアップで前記録画・記録装置に接続して前記収得した録画予約情報を前記録画・記録装置に送信し、前記録画・記録装置は前記録画予約情報に基づいて録画予約をセットするように構成したことを特徴とする携帯端末による録画・記録装置のコントロールシステムがある。
【００２０】
また、前記サービスステーションに決算機能を持たせ、録画予約を行うとするコンテンツが有料である場合に、前記携帯情報端末からユーザを特定する識別情報を受信し、この識別情報に基づいて決済を行い、決済が完了するとスクランブル解除情報を前記携帯情報端末に送信するように構成することも可能である。
【発明の効果】
【００２１】
本発明によれば、コンテンツの視聴管理、例えば、視聴料金、視聴有効回数等の管理も行うことができる。
【００２２】
また、本発明によれば、番組情報を簡易な仕組みで収得し、この番組情報に基づいて録画予約が出来る。
【００２３】
また、ＶＴＲの傍にいることなく、ＶＴＲに録画予約をセットすることが出来る。
【発明を実施するための最良の形態】
【００２４】
本発明の実施の形態を図面を参照しながら説明する。尚、本実施の形態においては、録画・記録装置としてＶＴＲを例にして説明する。
【００２５】
図１は第一の実施の形態を説明する為の図である。
【００２６】
図１中、１はリモコン機能付き携帯情報端末（例えば、携帯電話）である。このリモコン機能付き携帯情報端末１は、通常の携帯情報端末にＶＴＲに予約情報を送信するＩｒＤＡなどの赤外線送信機能や、Ｂｌｕｅｔｏｏｔｈなどを搭載し、リモコンの機能を持たせたものである。尚、各ＶＴＲメーカーのリモコンのコードについては、予め記憶させておくか、またはＷＥＢなどから取得、その他の方法で取得することによって、ＶＴＲ・その他の記録装置のコントロールが行えるようにしておく。
【００２７】
２はＥＰＧ情報や番組案内を掲載した携帯情報端末向けＷＥＢサービスやＥＰＧ情報をメール等の手段で送信するサービスなどを行うサービスステーションである。このサービスステーション２は、録画予約に必要な情報（例えば、開始時間、終了時間、放送時間、Ｇコード、チャンネル情報であり、デジタルの場合はサービスＩＤやＴＳ?ＩＤ、イベントＩＤなどである）を携帯情報端末１に配信するものである。
【００２８】
３は録画・記憶装置に相当するＶＴＲである。尚、録画・記憶装置は、ＶＴＲのような本体そのものばかりでなく、セット・トップ・ボックスのような録画・記憶装置本体をコントロールするものも含む概念である。
【００２９】
携帯情報端末１は、ＷＥＢサイトにアクセスしたり、メール配信サービスなどによりＥＰＧ情報・Ｇコードなどを閲覧・取得する。収得したＥＰＧ情報・Ｇコードなどにより希望する番組の録画予約情報を、備え付けられたリモコン機能によりＶＴＲ３などに送信する。受信したＶＴＲ３などは番組の予約を行う。
【００３０】
図２を用いて具体的な動作を説明する。
【００３１】
まず、携帯情報端末１は、通信機能を用いてサービスステーション２にアクセスし、ＥＰＧ情報等の番組情報を閲覧する。すると、携帯情報端末１の画面には図２に示されるように番組選択画面が表示される。続いて、ユーザは番組選択画面より、希望の番組を選択し（図２では番組Ｂを選択）、録画予約を選択する。
【００３２】
録画予約が選択されると、録画予約を行う機種を選択する機種選択画面となり、希望する機種を選択する。最後に予約情報が表示され、内容に間違いがなければ、”はい”を選択することにより、選択した機種（例えば、ＶＴＲ３）の予約情報が携帯情報端末１に送信される。
【００３３】
ここで、更に具体的に説明すると、ＶＴＲ３に対応する番組予約情報のフォーマットが以下のものとする。
【００３４】
01010ccYYMMDDhhmmhhmm
ここで、“01010”は同期ビット、“cc”は録画するチャンネル、“YYMMDD”は録画日、最初の“hhmm”は録画開始時間（２４時間表示）、後ろの“hhmm”は録画終了時間（２４時間表示）である。
【００３５】
本動作では、図２より、チャンネルがＡチャンネル、録画日が２０００年１月２日、録画開始時間が午前７時、録画終了時間が午前８時３０分であるので、予約情報は以下のようになる。
【００３６】
010100A00010207000830
そして、上記の予約情報が携帯情報端末１に送信される。
【００３７】
携帯情報端末１では、受信した予約情報を、ＩｒＤＡなどの赤外線送信機能を用いて、ＶＴＲ３に送信する。
【００３８】
ＶＴＲ３では、予約情報を受信し、この予約情報に基づいて録画予約を完了させる。
【００３９】
尚、本実施の形態では、録画情報（コンテンツ情報）をサービスステーションから入手するように構成したが、例えば新聞又は雑誌などにより、録画情報（コンテンツ情報）を既に入手している場合には、その情報を携帯情報端末１に入力してＶＴＲ３に送信し、録画予約をセットするように構成しても良い。すなわち、サービスステーション２を用いなくても録画予約をすることが出来る。
【００４０】
また、本実施の形態では、録画・記憶装置としてＶＴＲを例にして説明したが、ＶＴＲ以外、例えば、フラッシュメモリー、ハードディスクやＤＶＤなどの録画・記録装置でも同様に行うことが出来る。
【００４１】
第二の実施の形態を説明する。尚、第二の実施の形態においても、録画・記憶装置としてＶＴＲを例にして説明する。
【００４２】
第二の実施の形態は、家庭用のＶＴＲなどに通信機能を予め持たせておき、携帯電話やＰＨＳ等の携帯情報端末から、家庭用の録画・記憶装置（例えばＶＴＲ）に電話（ダイヤルアップ）し、ＶＴＲの状態を把握したり、録画予約やテープ・ＤＩＳＫ残量確認などを行えるように構成したことを特徴とする。尚、録画・記憶装置は、本体そのものばかりでなく、セット・トップ・ボックスのようなデジタルチューナのような受信機も含む概念である。
【００４３】
図３は第二の実施の形態を説明する為の図である。図３中、３１はＶＴＲ３３に有線又は無線を介して接続し、ＶＴＲ３３をコントロールする機能を有した携帯情報端末（例えば携帯電話など）であり、３２は上述した第一の実施の形態におけるサービスステーションと同様なものであり、３３は既存のダイヤルアップサーバのような機能を持ったＶＴＲである。
【００４４】
次に動作を説明する。
【００４５】
まず、第一の実施の形態と同様に、携帯情報端末３１は、通信機能を用いてサービスステーション３２にアクセスし、ＥＰＧ情報等の番組情報を閲覧する。すると、携帯情報端末３１の画面には図２に示されるように番組選択画面が表示される。続いて、ユーザは番組選択画面より、希望の番組を選択し（図２では番組Ｂを選択）、録画予約を選択する。
【００４６】
録画予約が選択されると、録画予約を行う機種を選択する機種選択画面となり、希望する機種を選択する。最後に予約情報が表示され、内容に間違いがなければ、”はい”を選択することにより、予めセットされたダイヤル情報に基づいて、選択した機種（ここでは、ＶＴＲ３３）にダイヤルアップする。
【００４７】
ダイヤルアップにより、携帯情報端末３１と接続されたＶＴＲ３３は、携帯情報端末３１より、録画予約情報を受信して録画予約をセットして録画予約を完了する。
【００４８】
このように構成することにより、遠隔地からでも自宅のＶＴＲに録画予約が行える。
【００４９】
尚、ダイヤルアップによりＶＴＲ３３に接続した際、ＶＴＲ３３の現在の状態、例えば、既にセットされている録画予約やテープの残量などを携帯情報端末３１に送信して、携帯情報端末３１にこれらの情報を表示させるようにしても良い。
【００５０】
また、本実施の形態では、録画情報（コンテンツ情報）をサービスステーションから入手するように構成したが、例えば新聞又は雑誌などにより、録画情報（コンテンツ情報）を既に入手している場合には、その情報を携帯情報端末１に入力してＶＴＲ３にダイヤルアップして送信し、録画予約をセットするように構成しても良い。すなわち、サービスステーション２を用いなくても録画予約をすることが出来る。
【００５１】
また、上記の応用として、ＶＴＲだけでなく、同様の方法で家庭にダイヤルアップなどで接続し、以下に示すようなさまざまな情報の取得や機器のコントロールを行うことによって、家のセキュリティ管理やその他の便利な生活を行うこともできる。例えば、家の扉・窓の鍵がかかっているかどうかや、エアコンなど電気機器の電源の状態はどうかや、またそれら機器のＯＮ・ＯＦＦなどのコントロールを行う。
【００５２】
更に、本実施の形態では、自宅以外の場所からダイヤルアップする例を説明したが、ＰＨＳのように内線機能を持つものであれば、自宅であっても異なる部屋からダイヤルアップして録画・記憶装置（例えば、ＶＴＲ３３）をコントロールするように構成することも出来る。
【００５３】
第三の実施の形態について説明する。尚、第二の実施の形態においても、録画・記憶装置としてＶＴＲを例にして説明する。
【００５４】
第三の実施の形態では、第一及び第二の実施の形態の応用として、ＶＴＲなどに録画予約する番組やコンテンツが有料な場合において、その決済方法の仕組みの構成である。
【００５５】
図４は第三の実施の形態を説明する為の図である。図４中、４１は携帯情報端末であり、４２はサービスステーションであり、４３はＶＴＲである。
【００５６】
第三の実施の形態の動作を説明すると、携帯情報端末４１は、通信機能を用いてサービスステーション４２にアクセスし、ＥＰＧ情報等の番組情報を閲覧する。すると、携帯情報端末４１の画面には図２に示されるように番組選択画面が表示される。続いて、ユーザは番組選択画面より、希望の番組を選択し（図２では番組Ｂを選択）、録画予約を選択する。ここで、選択した番組が有料のコンテンツである場合、サービスステーション４２に料金の決済を求める情報を送信する。この情報の代表的な例としては、クレジットカードの番号などである。また、加入している通信会社の電話番号やユーザＩＤ、パスワードも考えられる。
【００５７】
クレジットカードの番号等の情報を送信されたサービスステーション４２は、これらの情報に基づいて料金の決済を行い、決済が済むと番組にかけられたスクランブルを解除するスクランブル情報（鍵情報）を携帯情報端末４１に送信する。尚、スクランブル情報は鍵情報のみならず、コンテンツにかけられたスクランブルを解除する為の情報全てを含む概念である。
【００５８】
鍵情報を受信した携帯情報端末４１では、決済が済んで鍵情報を受信したことが表示されると共に、録画予約を行う機種を選択する機種選択画面となり、希望する機種を選択する。最後に予約情報が表示され、内容に間違いがなければ、”はい”を選択する。そして、ＩｒＤＡなどの赤外線送信機能や、ダイヤルアップ等の方法により、ＶＴＲ４３に録画予約情報及び鍵情報を送信する。
【００５９】
携帯情報端末４１から録画予約情報及び鍵情報が送信されたＶＴＲ４３では、鍵情報及び録画予約情報により、録画予約を完了する。
【００６０】
尚、本実施の形態では、録画予約を行う場合を想定したが、録画予約を行わず、受信した鍵情報により直ぐに視聴又は録画できるように構成しても良い。
【００６１】
また、決済の方法として、携帯情報端末の通信を契約している通信会社を使うと、電話料金と一緒に請求することもできる。
【００６２】
また、決済が済まないと予約出来ないように、携帯端末にロックをかければ決済上のトラブルを回避することもできる。
【００６３】
また、決済はＳＴＢ（セット・トップ・ボックス）の方の機能をつかい、その機能を携帯情報端末でコントロールすることにより購入する方法もある。この予約の際、先にコンテンツ管理サーバなどにアクセスし、購入の決定を行う。購入が完了したらそれを解除する鍵を携帯情報端末が受け取り、ＶＴＲ・蓄積型サーバへ予約情報・鍵情報を送信し録画・蓄積を行うように構成しても良い。
【００６４】
第四の実施の形態について説明する。
【００６５】
図５は、第四の実施の形態を説明するための図である。図５中、１００は決算機能を有するサービスステーション、１０１は携帯電話、１０２は画像等を蓄積するサーバ、１０３はサーバ出力される画像を表示するモニタである。
【００６６】
サービスステーション１００には、作品（番組）ごとの視聴管理情報を有している。この視聴管理情報は、一回の購入にあたって、購入した作品（番組）の視聴回数や、視聴できる期間、シリーズ作品に関する一括視聴権利などの条件に関する情報である。さらに、コンテンツにかけられた暗号を復号するための鍵情報を有しており、前記条件に合致する間は鍵情報が有効となるように構成されている。
【００６７】
また、サービスステーション１００は、選択した番組が有料のコンテンツである場合の決算機能を有する。この決算の代表的な例としては、クレジットカードの番号などである。また、加入している通信会社の電話番号やユーザＩＤ、パスワードも考えられる。クレジットカードの番号等の情報を送信されたサービスステーション１００は、これらの情報に基づいて料金の決済を行い、決済が済むと視聴管理情報を携帯情報端末１０１に送信する。
【００６８】
携帯電話１０１は、通信機能を用いてサービスステーション１００にアクセスし、視聴管理情報を受信する機能を有する。また、携帯電話１０１は、サーバ１０２に視聴管理情報を送信するＩｒＤＡなどの赤外線送信機能や、Ｂｌｕｅｔｏｏｔｈなどを搭載している。
【００６９】
サーバ１０２は、セット・トップ・ボックスのような記録・再生機能を有するものであって、携帯電話１０１からの視聴管理情報を受信するＩｒＤＡなどの赤外線送信機能や、Ｂｌｕｅｔｏｏｔｈなどを搭載している。尚、サーバ１０２に蓄積されるコンテンツは、有線又は無線により、外部から暗号化されたコンテンツを入手しても良いし、ユーザによって直接コンテンツを蓄積するようにしても良い。
【００７０】
モニタ１０３は、サーバ１０２からの映像信号を受信し、映像を表示するモニタである。
【００７１】
次に、第四の実施の形態の動作を説明する。尚、本動作の説明にあたって、サーバ１０２には暗号化されたコンテンツ（以下、コンテンツＡＡＡと表記する）が蓄積されているものとする。
【００７２】
まず、携帯電話１０１は、サービスステーション１００にアクセスし、コンテンツＡＡＡの視聴管理情報の取得作業を行う。この作業は、コンテンツＡＡＡを特定する視聴物特定情報と、決算の際に用いられるユーザ情報とを送信する。
【００７３】
サービスステーション１００では、受信した視聴物特定情報とユーザ情報とを受信し、視聴物特定情報からコンテンツＡＡＡの視聴管理情報を特定する。尚、この視聴管理情報は、コンテンツＡＡＡを５回まで視聴できる権利を保障するものとする。さらに、ユーザ情報からコンテンツＡＡＡの視聴管理情報の料金の決算を行う。決算が終了すると、視聴管理情報が携帯電話１０１に送信される。
【００７４】
視聴管理情報を受信した携帯電話１０１では、視聴管理情報をサーバ１０２に送信する。この際、視聴管理情報の視聴回数が１回カウントダウンされる。
【００７５】
サーバ１０２では、受信した視聴管理情報の鍵情報を元に、コンテンツＡＡＡらかけられた暗号（スクランブル）を解除し、解除されたデータをモニタ１０３に出力する。そして、モニタ１０３では、コンテンツＡＡＡが表示される。
【００７６】
このような動作により、コンテンツの視聴管理ができる。
【００７７】
尚、視聴管理情報が記憶された携帯端末があれば、視聴管理情報に対応するコンテンツがいずれのサーバに蓄積されていても、視聴可能である。
【００７８】
また、サーバに蓄積されたコンテンツのみならず、コンテンツがＤＶＤ−ＲＯＭのような記録媒体に記録されたものであっても、適用可能である。
【図面の簡単な説明】
【００７９】
【図１】図１は本発明の第一の実施の形態を説明する為の図である。
【００８０】
【図２】図２は本発明の第一の実施の形態を説明する為の図である。
【００８１】
【図３】図３は本発明の第二の実施の形態を説明する為の図である。
【００８２】
【図４】図４は本発明の第三の実施の形態を説明する為の図である。
【００８３】
【図５】図５は本発明の第四の実施の形態を説明する為の図である。
【符号の説明】
【００８４】
１，３１，４１，１０１      携帯情報端末
２，３２，４２，１００      サービスステーション
３，３３，４３              ＶＴＲ
１０２                      サーバ
１０３                      モニタ
【図１】
2004282777.tif 000003
【図２】
2004282777.tif 000004
【図３】
2004282777.tif 000005
【図４】
2004282777.tif 000006
【図５】
2004282777.tif 000007